(57)【特許請求の範囲】
【請求項１】
被印刷物が供給されて位置決めされる整合部と、位置決め後の被印刷物に対し印刷機構により印刷を施す印刷部と、印刷後の被印刷物が搬出される排出部とを並設したスクリーン印刷機において、
前記整合部と印刷部と排出部とにわたり搬送機構を配設してその搬送機構に複数の被印刷物搬送台を取り付け、
前記各被印刷物搬送台は、前記搬送機構の駆動により、整合部から印刷部を経て排出部に至る処理路と、排出部から印刷部を経て整合部に至る戻り路とを移動し、
前記整合部は、処理路で整合部に至った被印刷物搬送台との間で被印刷物が移換される整合テーブルと、この整合テーブルの位置を調節する位置調節駆動部とを備え、
前記印刷部は、処理路で印刷部に至った被印刷物搬送台との間で被印刷物が移換される印刷テーブルを備え、
前記処理路で印刷部に至る各被印刷物搬送台のうち、特定被印刷物搬送台である基準搬送台に対し印刷テーブルの印刷中心を基準に付した基準位置確認マークと、この基準搬送台以外の被印刷物搬送台に対し印刷テーブルの印刷中心を基準に付した位置確認マークとの間で生じる搬送方向のずれだけ、被印刷物を整合中心で位置決めした整合テーブルの位置を調節するように位置調節駆動部を駆動させるとともに、
その整合テーブルの位置調節に基づき、整合テーブルの整合中心と印刷テーブルの印刷中心との間の基準搬送距離を前記ずれだけ補正した実際搬送距離で、整合テーブルから被印刷物搬送台に移換された被印刷物を印刷テーブルの印刷中心まで搬送するように搬送機構を駆動させる
処理装置を備えた
ことを特徴とするスクリーン印刷機の被印刷物搬送装置。
【請求項２】
被印刷物が供給されて位置決めされる整合部と、位置決め後の被印刷物に対し印刷機構により印刷を施す印刷部と、印刷後の被印刷物が搬出される排出部とを並設したスクリーン印刷機において、
前記整合部と印刷部と排出部とにわたり搬送機構を配設してその搬送機構に複数の被印刷物搬送台を取り付け、
前記各被印刷物搬送台は、前記搬送機構の駆動により、整合部から印刷部を経て排出部に至る処理路と、排出部から印刷部を経て整合部に至る戻り路とを移動し、
前記整合部は、処理路で整合部に至った被印刷物搬送台との間で被印刷物が移換される整合テーブルと、この整合テーブルの位置を調節する位置調節駆動部とを備え、
前記印刷部は、処理路で印刷部に至った被印刷物搬送台との間で被印刷物が移換される印刷テーブルを備え、
前記処理路で印刷部に至る各被印刷物搬送台について印刷テーブルの印刷中心に対する正位置を記憶する搬送台正位置記憶手段と、前記処理路で印刷部に至った各被印刷物搬送台について印刷テーブルの印刷中心に対する実際位置を検出する搬送台実際位置検出手段と、前記被印刷物搬送台の正位置と前記被印刷物搬送台の実際位置との間の位置誤差から求めたずれだけ位置調節駆動部を駆動して整合テーブルの位置を調節する位置調節制御手段とを備え、そのずれだけ整合テーブルの位置を被印刷物とともに調節するように位置調節駆動部を駆動させるとともに、
その整合テーブルの位置調節に基づき、整合テーブルの整合中心と印刷テーブルの印刷中心との間の基準搬送距離を前記ずれだけ補正した実際搬送距離で、整合テーブルから被印刷物搬送台に移換された被印刷物を印刷テーブルの印刷中心まで搬送するように搬送機構を駆動させる
処理装置を備えた
ことを特徴とするスクリーン印刷機の被印刷物搬送装置。
【発明の詳細な説明】
【０００１】
【発明の属する技術分野】
この発明は、被印刷物搬入側の整合部と被印刷物搬出側の排出部とそれらの間の印刷部とを並設したスクリーン印刷機において、被印刷物を搬送する装置に係り、特に被印刷物搬送台により被印刷物を整合テーブルから印刷テーブルの印刷中心へ搬送する装置に関するものである。
【０００２】
【従来の技術】
従来、この種のスクリーン印刷機の被印刷物搬送機構においては、整合部と印刷部と排出部とにわたり巻掛け伝動機構が配設されてその巻掛け伝動機構に複数の被印刷物搬送台が取り付けられている。図１２で概略的に示すように、整合部Ａに供給された被印刷物Ｗは、整合テーブル２で整合中心Ｒ0 に合わされた後、整合テーブル２の整合中心Ｒ0 と印刷テーブル２６の印刷中心Ｐとの間の基準搬送距離Ｌだけ、被印刷物搬送台４４より整合部Ａから印刷部Ｂへ搬送されて印刷テーブル２６の印刷中心Ｐに設定される。
【０００３】
【発明が解決しようとする課題】
ところが、前記被印刷物搬送機構の機械的構造などが原因になって、各被印刷物搬送台４４は、整合部Ａで一定位置に停止しているにもかかわらず、整合部Ａから印刷部Ｂへ移動する間に搬送誤差を生じ得る。そのため、印刷部Ｂにおいて、各被印刷物搬送台４４の停止位置が一定せず、各被印刷物搬送台４４間でずれＧが生じる。このようなずれＧがあると、被印刷物Ｗを印刷テーブル２６の印刷中心Ｐへ正確に搬送することが難しくなる。
【０００４】
本発明は、前述した搬送誤差によるずれは生じ得るものとした上で、被印刷物を印刷テーブルの印刷中心へでき得る限り正確に搬送することを目的としている。
【０００５】
【課題を解決するための手段】
後記実施形態の図面（図１〜１１）の符号を援用して本発明を説明する。
請求項１または請求項２の発明にかかるスクリーン印刷機は、いずれも、被印刷物（Ｗ）が供給されて位置決めされる整合部（Ａ）と、位置決め後の被印刷物（Ｗ）に対し印刷機構（２７）により印刷を施す印刷部（Ｂ）と、印刷後の被印刷物（Ｗ）が搬出される排出部（Ｃ）とを並設したものである。これらのスクリーン印刷機の被印刷物搬送装置は、いずれも、下記のように構成されている。
【０００６】
前記整合部（Ａ）と印刷部（Ｂ）と排出部（Ｃ）とにわたり搬送機構（１）を配設してその搬送機構（１）に複数の被印刷物搬送台（４４）を取り付けている。前記各被印刷物搬送台（４４）は、前記搬送機構（１）の駆動により、整合部（Ａ）から印刷部（Ｂ）を経て排出部（Ｃ）に至る処理路（４６ａ）と、排出部（Ｃ）から印刷部（Ｂ）を経て整合部（Ａ）に至る戻り路（４６ｂ）とを移動する。前記整合部（Ａ）は、処理路（４６ａ）で整合部（Ａ）に至った被印刷物搬送台（４４）との間で被印刷物（Ｗ）が移換される整合テーブル（２）と、この整合テーブル（２）の位置を調節する位置調節駆動部（５）とを備えている。前記印刷部（Ｂ）は、処理路（４６ａ）で印刷部（Ｂ）に至った被印刷物搬送台（４４）との間で被印刷物（Ｗ）が移換される印刷テーブル（２６）を備えている。
【０００７】
さらに、請求項１の発明にかかる処理装置（６０）は、前記処理路（４６ａ）で印刷部（Ｂ）に至る各被印刷物搬送台（４４）のうち、特定被印刷物搬送台（４４）である基準搬送台（４４Ｓ）に対し印刷テーブル（２６）の印刷中心（Ｐ）を基準に付した基準位置確認マーク（Ｍo）と、この基準搬送台（４４Ｓ）以外の被印刷物搬送台（４４）に対し印刷テーブル（２６）の印刷中心（Ｐ）を基準に付した位置確認マーク（Ｍ）との間で生じる搬送方向（Ｑ）のずれ（Ｇ）だけ、被印刷物（Ｗ）を整合中心（Ｒo）で位置決めした整合テーブル（２）の位置を調節するように、位置調節駆動部（５）を駆動させる。また、この処理装置（６０）は、その整合テーブル（２）の位置調節に基づき、整合テーブル（２）の整合中心（Ｒo）と印刷テーブル（２６）の印刷中心（Ｐ）との間の基準搬送距離（Ｌ）を前記ずれ（Ｇ）だけ補正した実際搬送距離（Ｌ＋Ｇ）で、整合テーブル（２）から被印刷物搬送台（４４）に移換された被印刷物（Ｗ）を印刷テーブル（２６）の印刷中心（Ｐ）まで搬送するように、搬送機構（１）を駆動させる。
【０００８】
さらに、請求項２の発明にかかる処理装置（６０）は、前記処理路（４６ａ）で印刷部（Ｂ）に至る各被印刷物搬送台（４４）について印刷テーブル（２６）の印刷中心（Ｐ）に対する正位置を記憶する搬送台正位置記憶手段と、前記処理路（４６ａ）で印刷部（Ｂ）に至った各被印刷物搬送台（４４）について印刷テーブル（２６）の印刷中心（Ｐ）に対する実際位置を検出する搬送台実際位置検出手段と、前記被印刷物搬送台（４４）の正位置と前記被印刷物搬送台（４４）の実際位置との間の位置誤差から求めたずれ（Ｇ）だけ位置調節駆動部（５）を駆動して整合テーブル（２）の位置を調節する位置調節制御手段とを備え、そのずれ（Ｇ）だけ整合テーブル（２）の位置を被印刷物（Ｗ）とともに調節するように、位置調節駆動部（５）を駆動させる。また、この処理装置（６０）は、その整合テーブル（２）の位置調節に基づき、整合テーブル（２）の整合中心（Ｒo）と印刷テーブル（２６）の印刷中心（Ｐ）との間の基準搬送距離（Ｌ）を前記ずれ（Ｇ）だけ補正した実際搬送距離（Ｌ＋Ｇ）で、整合テーブル（２）から被印刷物搬送台（４４）に移換された被印刷物（Ｗ）を印刷テーブル（２６）の印刷中心（Ｐ）まで搬送するように、搬送機構（１）を駆動させる。
【００１０】
【発明の実施の形態】
以下、本発明の一実施形態にかかるスクリーン印刷機及びその被印刷物搬送装置を図面を参照して説明する。
図１に概略的に示すスクリーン印刷機においては、被印刷物搬入側の整合部Ａ  と、被印刷物搬出側の排出部Ｃと、それらの間の印刷部Ｂとが並設されている。この整合部Ａと印刷部Ｂと排出部Ｃとにわたり被印刷物搬送機構１が配設されている。被印刷物Ｗ（例えば電気配線基板）は、整合部Ａに搬入され、この被印刷物搬送機構１により、整合部Ａから印刷部Ｂを経て排出部Ｃへ搬送された後、この排出部Ｃから搬出される。この被印刷物Ｗの搬送方向Ｑを前後方向Ｘとし、被印刷物搬入側を前側とするとともに、被印刷物搬出側を後側とする。また、この搬送方向Ｑを含む想定水平面でこれに直交する方向を左右方向Ｙ（図２参照）とする。
【００１１】
＜図１に示す前記整合部Ａの概要＞
この整合部Ａは、整合テーブル２と位置合せ装置３と供給装置４とを備えている。
【００１２】
前記整合テーブル２は位置調節駆動部５上に支持されている。この整合テーブル２においては、図２，４に示すように、その上面の前後両側に回避溝６，７が左右方向Ｙへ延設され、この前側回避溝６と後側回避溝７との間、この前側回避溝６の前方、この後側回避溝７の後方でそれぞれ吸着台部８，９が形成されている。この吸着台部８，９には真空ポンプ１０（図６参照）が接続されている。この吸着台部８，９上の載置面８ａ，９ａは、多数の吸引孔（図示せず）を有する吸着面であって、被印刷物Ｗを載せた状態で吸着して位置決めすることができる。この整合テーブル２は昇降部１１（図６参照）により位置調節駆動部５とともに昇降し得る。
【００１３】
図４に示すように、前記位置調節駆動部５は、前記昇降部１１（図６参照）に取着された支持台１２と、この支持台１２上で回動支持部１３を中心に回動する回動台１４と、この回動台１４上でＸ方向ガイド１５に沿って移動するとともにＹ方向ガイド１６に沿って移動する移動台１７とを備えている。この回動台１４はサーボモータ１８（駆動部）により想定水平面上で垂直軸心１３ａを中心に回動する。この移動台１７は、サーボモータ１９（駆動部）により前後方向Ｘへ水平に平行移動するとともに、サーボモータ２０（駆動部）により左右方向Ｙへ水平に平行移動する。従って、前記整合テーブル２は、この位置調節駆動部５により、前記Ｘ方向及びＹ方向へ移動するとともに、このＸＹ方向を含む想定水平面でθ方向へ回動する。
【００１４】
前記位置合せ装置３においては、前記整合テーブル２の前後両回避溝６，７の上方で前後両ＣＣＤカメラ２１，２２が設置されているとともに、この後側回避溝７の上方で左右両ＣＣＤカメラ２３が設置されている。
【００１５】
前記供給装置４は、供給コンベヤ２４上の被印刷物Ｗを吸着腕２５により前記整合テーブル２上に供給する。
＜図１に示す前記印刷部Ｂの概要＞
この印刷部Ｂは、印刷テーブル２６と印刷機構２７とを備えている。
【００１６】
前記印刷テーブル２６においては、図２に示すように、その上面の前後両側に回避溝２８，２９が左右方向Ｙへ延設され、この前側回避溝２８と後側回避溝２９との間、この前側回避溝２８の前方、この後側回避溝２９の後方でそれぞれ吸着台部３０，３１が形成されている。この吸着台部３０，３１には真空ポンプ３２（図６参照）が接続されている。この吸着台部３０，３１上の載置面３０ａ，３１ａは、多数の吸引孔（図示せず）を有する吸着面であって、被印刷物Ｗを載せた状態で吸着して位置決めすることができる。この印刷テーブル２６は昇降部３３（図６参照）により昇降し得る。
【００１７】
前記印刷機構２７は、前記印刷テーブル２６の上方に設置され、従来周知のものであり、図５にも示すように、昇降可能に支持されている。この印刷機構２７の機枠３４の下側に版枠３５が取り付けられ、この版枠３５の内側にスクリーン版３６が張られている。上下動可能なスキージ３７及びドクター３８は、スクリーン版３６に沿って左右方向Ｙへ往復移動する。
【００１８】
＜図１に示す前記排出部Ｃの概要＞
この排出部Ｃにおいては、昇降部３９（図６参照）により昇降し得る排出コンベヤ４０が設置されている。
【００１９】
＜図１に示す前記被印刷物搬送機構１の概要＞
この被印刷物搬送機構１は、巻掛け伝動機構であって、前側の左右両鎖歯車４１と後側の左右両鎖歯車４２との間で左右の伝動チェーン４３（巻掛け伝動リンク）が掛け渡されている。この左右両伝動チェーン４３間には６個の被印刷物搬送台４４が等間隔で取り付けられている。この左右両伝動チェーン４３は駆動モータ４５により回転する。この駆動モータ４５は、図６に示す中央処理装置６０（後述）により駆動制御される。この駆動モータ４５の駆動制御により、前記各被印刷物搬送台４４は、前記左右両伝動チェーン４３の回転に伴い、整合部Ａから印刷部Ｂを経て排出部Ｃに至る処理路４６ａと、排出部Ｃから印刷部Ｂを経て整合部Ａに至る戻り路４６ｂとを、ガイド（図示せず）で案内されながら移動する。
【００２０】
＜前記被印刷物搬送台４４の改良＞
この被印刷物搬送台４４においては、図３にも概略的に示すように、前記処理路４６ａにおける移動方向（前後方向Ｘ）の両側でそれぞれ載置台部４７，４８が設けられているとともに、左右方向Ｙの両側でそれぞれ連結部４９，５０が設けられ、この左右両連結部４９，５０が前側載置台部４７の左右両側と後側載置台部４８の左右両側とに対し一体的につながれている。この前後両載置台部４７，４８と左右両連結部４９，５０とにより被印刷物搬送台４４が枠状をなし、それらの間に回避孔５５が設けられている。
【００２１】
前記各被印刷物搬送台４４は、前後両載置台部４７，４８の表裏両側のうちその表側で載置面４７ａ，４８ａを有し、処理路４６ａで前後両載置台部４７，４８の表側を上向きにして移動した後に、排出部Ｃにおける処理路４６ａと戻り路４６ｂとの境界部で上下反転し、戻り路４６ｂで前後両載置台部４７，４８の裏側を下向きにして移動した後に、整合部Ａにおける戻り路４６ｂと処理路４６ａとの境界部で上下反転する。
【００２２】
前記各被印刷物搬送台４４の前後両載置台部４７，４８は、それぞれ、被印刷物Ｗを位置決めするロック状態とそのロックを解除する状態とを取り得る左右両グリッパ５７（位置決め体）を有する位置決め手段５６を備えている。この位置決め手段５６については、概略的に図示しているが、前後両載置台部４７，４８でそれぞれ、左右両グリッパ５７が互いに接近離間するように駆動部５８（図６参照）により左右方向Ｙへ移動するとともに、左右両グリッパ５７の把持腕（図示せず）が前後両載置台部４７，４８の載置面４７ａ，４８ａに対し駆動部５９（図６参照）により開閉動するようになっている。なお、位置決め手段５６としては、前記整合テーブル２や印刷テーブル２６と同様に吸引機能を利用してもよい。
【００２３】
＜図６に示す電気的構成の概要＞
中央処理装置６０は、記憶装置６０ａと制御装置６０ｂと演算装置６０ｃとを備え、記憶装置６０ａに格納されたプログラムや、前記整合部Ａの各ＣＣＤカメラ２１，２２，２３や、操作キー等からなる入力部６１などからのデータ等に基づき、制御装置６０ｂによる命令サイクルと実行サイクルとを自動的に行い、前記整合部Ａにおける位置調節駆動部５の各サーボモータ１８，１９，２０（図４参照）や、前記被印刷物搬送機構１の駆動モータ４５（図１参照）や、前記整合テーブル２用の真空ポンプ１０及び印刷テーブル２６用の真空ポンプ３２（図６でのみ図示）や、前記整合部Ａ、印刷部Ｂ及び排出部Ｃにおける各昇降部１１，３３，３９（図６でのみ図示）や、前記各被印刷物搬送台４４の各駆動部５８，５９（図６でのみ図示）などを、後述するように駆動制御する。
【００２４】
＊  搬送台正位置記憶手段及び被印刷物正位置記憶手段について
図８に示すように、各被印刷物搬送台４４のうち特定被印刷物搬送台４４（基準搬送台４４Ｓ）を後記本印刷の場合と同様に印刷部Ｂに移動させる。この基準搬送台４４Ｓの両載置台部４７，４８のうち後側載置台部４８の左右両側に対し基準位置確認マークＭ（Ｍ0 ）を印刷テーブル２６の印刷中心Ｐ（前記スクリーン版３６にある両印刷マーク間の中央位置）を基準として付す。また、この基準搬送台４４Ｓに模擬印刷物Ｗ0 を位置決めするとともに、この模擬印刷物Ｗ0 を印刷テーブル２６に位置決めした状態で、この模擬印刷物Ｗ0 の前後両側に対し基準位置合せマークＮ（Ｎ0 ）を印刷テーブル２６の印刷中心Ｐを基準として付す。この場合、前後両基準位置合せマークＮ（Ｎ0 ）間の中央位置Ｒは、印刷テーブル２６の印刷中心Ｐに一致する。
【００２５】
次に、図８に示すように、印刷部Ｂにおいて模擬印刷物Ｗ0 を位置決めした基準搬送台４４Ｓを後記本印刷の場合と同様に整合部Ａに移動させる。この整合部Ａにおいて基準搬送台４４Ｓの左右両基準位置確認マークＭ（Ｍ0 ）を左右両ＣＣＤカメラ２３（図１，６参照）により検出し、その検出データを中央処理装置６０に入力して記憶装置６０ａに座標データ（正位置）として記憶させる。また、この整合部Ａにおいて模擬印刷物Ｗ0 の前後両基準位置合せマークＮ（Ｎ0 ）を前後両ＣＣＤカメラ２１，２２（図１，６参照）により検出し、その検出データを中央処理装置６０に入力して記憶装置６０ａに座標データ（正位置）として記憶させる。
【００２６】
＊  搬送台実際位置検出手段及び被印刷物実際位置検出手段について
図９で模式的に示すように、前記基準搬送台４４Ｓ以外の各被印刷物搬送台４４も後記本印刷の場合と同様に印刷部Ｂに順次移動させる。この各被印刷物搬送台４４の両載置台部４７，４８のうち後側載置台部４８の左右両側に対し位置確認マークＭを印刷テーブル２６の印刷中心Ｐを基準として付す。この左右両位置確認マークＭは、印刷部Ｂにおいて印刷テーブル２６の印刷中心Ｐに対する位置関係について前記左右両基準位置確認マークＭ（Ｍ0 ）と同一になり、この左右両基準位置確認マークＭ（Ｍ0 ）と左右両位置確認マークＭとが印刷テーブル２６の印刷中心Ｐを基準に互いに一致して重なり合う。ただし、基準搬送台４４Ｓの左右両グリッパ５７と、この基準搬送台４４Ｓ以外の各被印刷物搬送台４４の左右両グリッパ５７とは、搬送誤差等により、印刷部Ｂで互いにずれた位置関係を生じ得る。本実施形態では、それらの搬送台４４Ｓ，４４の左右両グリッパ５７は、便宜上、印刷部Ｂにおいて搬送方向Ｑに沿った前後方向ＸでずれＧを持つものとする。
【００２７】
また、整合部Ａにおいて基準搬送台４４Ｓを含む各被印刷物搬送台４４に位置決めされる被印刷物Ｗ（模擬印刷物Ｗ0 以外）にも、前後両位置合せマークＮを模擬印刷物Ｗ0 の前後両基準位置合せマークＮ（Ｎ0 ）と同一の位置関係で供給前に予め付す。
【００２８】
図９で模式的に示すように、前記基準搬送台４４Ｓを含む各被印刷物搬送台４４は、後記本印刷で詳述するように、整合部Ａに順次移動してそれぞれ同一位置で停止するものとする。その場合、各被印刷物搬送台４４の載置台部４８にある左右両位置確認マークＭを左右両ＣＣＤカメラ２３（図１，６参照）により検出し、その検出データを中央処理装置６０に入力して記憶装置６０ａに座標データ（実際位置）として記憶させる。中央処理装置６０において演算装置６０ｃは、この左右両位置確認マークＭに関する実際位置と、予め記憶された前記左右両基準位置確認マークＭ（Ｍ0 ）に関する正位置とを比較し、それらの間のずれＧを補正データとして演算し、その補正データを記憶装置６０ａに記憶させる。
【００２９】
また、被印刷物Ｗは、後記本印刷で詳述するように、整合テーブル２に供給されて位置決めされる。その場合、被印刷物Ｗにある前後両位置合せマークＮを前後両ＣＣＤカメラ２１，２２（図１，６参照）により検出し、その検出データを中央処理装置６０に入力して記憶装置６０ａに座標データ（実際位置）として記憶させる。
【００３０】
＊  整合テーブル２に対する位置調節制御手段について
図９で模式的に示す状態から、前記中央処理装置６０において、制御装置６０ｂは、記憶装置６０ａから読み出された被印刷物Ｗの前後両基準位置合せマークＮ（Ｎ0 ）に関する座標データ（正位置）に対し、この記憶装置６０ａから読み出された被印刷物Ｗの前後両位置合せマークＮに関する座標データ（実際位置）を合わせるように、位置調節駆動部５の各サーボモータ１８，１９，２０（図４，６参照）を駆動させて整合テーブル２の位置を調節する。従って、図示しないが、被印刷物Ｗの前後両位置合せマークＮが前後両基準位置合せマークＮ（Ｎ0 ）に一致するとともに、この前後両位置合せマークＮ間の中央位置Ｒが前後両基準位置合せマークＮ（Ｎ0 ）間の中央位置である整合テーブル２の整合中心Ｒ0 に一致する。
【００３１】
さらに、図１０で模式的に示すように、前記中央処理装置６０において、制御装置６０ｂは、記憶装置６０ａから読み出された被印刷物搬送台４４の左右両基準位置確認マークＭ（Ｍ0 ）に関する座標データ（正位置）と、この記憶装置６０ａから読み出された被印刷物搬送台４４の左右両位置確認マークＭに関する座標データ（実際位置）とを比較して求められた前記ずれＧに関する補正データに基づき、位置調節駆動部５の各サーボモータ１８，１９，２０（図４，６参照）を駆動させて整合テーブル２の位置を調節する。従って、被印刷物搬送台４４の左右両位置確認マークＭが左右両基準位置確認マークＭ（Ｍ0 ）に一致して図９で模式的に示すずれＧがなくなる。一方、被印刷物Ｗの前後両位置合せマークＮが前後両基準位置合せマークＮ（Ｎ0 ）に対しこのずれＧだけ搬送方向Ｑに沿った方向へ移動するとともに、この前後両位置合せマークＮ間の中央位置Ｒが整合テーブル２の整合中心Ｒ0 に対しこのずれＧだけ搬送方向Ｑに沿った方向へ移動する。
【００３２】
＜図７及び図９〜１１に示す本印刷時における被印刷物Ｗの搬送作用＞
＊  図７（ａ）の状態（整合部Ａ）
各被印刷物搬送台４４のうち一つのものが、昇降部１１（図６参照）により下動位置にある整合テーブル２の上方で停止している。上記被印刷物搬送台４４の前後両載置台部４７，４８において、左右両グリッパ５７（図２，３参照）は駆動部５８，５９（図６参照）により互いに離間してロック解除されている。
【００３３】
＊  図７（ｂ）の状態（整合部Ａ）
図７（ａ）の状態で整合テーブル２が昇降部１１（図６参照）により上動すると、上記被印刷物搬送台４４の前後両載置台部４７，４８がこの整合テーブル２の前後両回避溝６，７内に挿入されるとともに、この整合テーブル２の各吸着台部８，９のうち中央の吸着台部８が上記被印刷物搬送台４４の回避孔５５内に挿入され、前後両載置台部４７，４８上の載置面４７ａ，４８ａと整合テーブル２の各吸着台部８，９上の載置面８ａ，９ａとが互いに面一になる。
【００３４】
＊  図７（ｃ）の状態（整合部Ａ）
図７（ｂ）の状態で被印刷物Ｗが供給装置４から整合テーブル２上に供給されると、その被印刷物Ｗは、上記各載置面８ａ，９ａ，４７ａ，４８ａ上に載って支えられ、真空ポンプ１０（図６参照）により整合テーブル２に吸着される。
【００３５】
次に、図９及び図１０について前述したように、整合テーブル２に対する位置調節制御手段により、整合テーブル２の整合中心Ｒ0 及び被印刷物搬送台４４に対する被印刷物Ｗの位置を調節し、被印刷物搬送台４４が整合部Ａから印刷部Ｂへ移動した場合に生じるずれＧだけ、被印刷物Ｗの中央位置Ｒを整合中心Ｒ0 に対しずらせる。
【００３６】
次に、前記被印刷物搬送台４４の前後両載置台部４７，４８でそれぞれ左右両グリッパ５７（図２，３参照）が駆動部５８，５９（図６参照）により互いに接近して被印刷物Ｗの四隅部分をロックして位置決めするとともに、整合テーブル２の吸引が解除される。
【００３７】
＊  図７（ｄ）の状態（整合部Ａ）
図７（ｃ）の状態で整合テーブル２が昇降部１１（図６参照）により下動すると、前記被印刷物搬送台４４の前後両載置台部４７，４８がこの整合テーブル２の前後両回避溝６，７から離脱するとともに、この整合テーブル２の各吸着台部８，９が被印刷物搬送台４４から離れるのに伴い中央の吸着台部８が前記被印刷物搬送台４４の回避孔５５から離脱し、被印刷物Ｗが整合テーブル２から被印刷物搬送台４４に移換される。
【００３８】
＊  図７（ｅ）の状態（印刷部Ｂ）
図７（ｄ）の状態で被印刷物Ｗを位置決めした被印刷物搬送台４４が、整合部Ａから印刷部Ｂへ移動し、昇降部３３（図６参照）により下動位置にある印刷テーブル２６の上方で停止する。
【００３９】
この場合、図１０に示すように、整合テーブル２から被印刷物搬送台４４に移換された被印刷物Ｗは、整合テーブル２の整合中心Ｒ0 と印刷テーブル２６の印刷中心Ｐとの間の基準搬送距離Ｌを前記ずれＧだけ補正した実際搬送距離Ｌ＋Ｇで、印刷テーブル２６の印刷中心Ｐまで搬送される。
【００４０】
＊  図７（ｆ）の状態（印刷部Ｂ）
図７（ｅ）の状態で印刷テーブル２６が昇降部３３（図６参照）により上動すると、上記被印刷物搬送台４４の前後両載置台部４７，４８がこの印刷テーブル２６の前後両回避溝２８，２９内に挿入されるとともに、この印刷テーブル２６の各吸着台部３０，３１のうち中央の吸着台部３０が上記被印刷物搬送台４４の回避孔５５内に挿入され、前後両載置台部４７，４８上の載置面４７ａ，４８ａと印刷テーブル２６の各吸着台部３０，３１上の載置面３０ａ，３１ａとが互いに面一になる。被印刷物Ｗは、被印刷物搬送台４４に位置決めされたまま、整合テーブル２の各載置面８ａ，９ａに真空ポンプ３２（図６参照）により吸着される。
【００４１】
この状態では、図８に示す基準搬送台４４Ｓの前後両載置台部４７，４８が印刷テーブル２６の印刷中心Ｐに対しなす距離をＫとした場合、被印刷物搬送台４４の前後両載置台部４７，４８が印刷テーブル２６の印刷中心Ｐに対しなす距離は、それぞれ、Ｋ−ＧとＫ＋Ｇとなり、このずれＧだけ搬送誤差が生じる。
【００４２】
その後、この被印刷物Ｗに対し、印刷機構２７により印刷が施される。
＊  図７（ｇ）の状態（印刷部Ｂ）
印刷後、図７（ｆ）の状態で真空ポンプ３２（図６参照）による印刷テーブル２６の吸引が解除されて印刷テーブル２６が昇降部３３（図６参照）により下動すると、前記被印刷物搬送台４４の前後両載置台部４７，４８がこの印刷テーブル２６の前後両回避溝２８，２９から離脱するとともに、この印刷テーブル２６の各吸着台部３０，３１が被印刷物搬送台４４から離れるのに伴い中央の吸着台部３０が前記被印刷物搬送台４４の回避孔５５から離脱し、被印刷物Ｗが印刷テーブル２６から被印刷物搬送台４４に移換される。
【００４３】
＊  図７（ｈ）の状態（排出部Ｃ）
図７（ｇ）の状態で印刷後の被印刷物Ｗを位置決めした被印刷物搬送台４４が、印刷部Ｂから排出部Ｃへ移動する。その後、被印刷物搬送台４４の前後両載置台部４７，４８で左右両グリッパ５７（図２，３参照）が駆動部５８，５９（図６参照）により互いに離間してロック解除され、印刷後の被印刷物Ｗが排出コンベヤ４０により被印刷物搬送台４４から搬出される。
【００４４】
＜本実施形態の特徴＞
本実施形態は下記の特徴（後記する他の技術的思想以外）を有する。
図１に示す被印刷物搬送機構１においては、図６に示す中央処理装置６０から駆動モータ４５に対し同一の出力信号を送れば、各被印刷物搬送台４４は整合部Ａから印刷部Ｂへ同一搬送距離（図８〜１０に示す基準搬送距離Ｌ）だけ移動するはずである。しかし、前述したように、印刷部Ｂにおいて各被印刷物搬送台４４間で搬送誤差によるずれＧ（図９〜１１参照）が生じ得る。そこで、整合テーブル２の整合中心Ｒ0 に位置決めした被印刷物ＷをこのずれＧだけ予め搬送前にずらせ、固定位置にある印刷テーブル２６の印刷中心Ｐに対し被印刷物Ｗの搬送開始点（前後両位置合せマークＮ間の中央位置Ｒ）を変更し、この搬送開始点（中央位置Ｒ）とこの印刷中心Ｐとの間の距離（図１０に示す実際搬送距離Ｌ＋Ｇ）を各被印刷物搬送台４４ごとに調節した。そのため、中央処理装置６０から駆動モータ４５に対し同一の出力信号が送られても、各被印刷物搬送台４４は実際搬送距離Ｌ＋Ｇだけ移動し、前記被印刷物Ｗの中央位置Ｒが印刷中心Ｐに一致する。従って、被印刷物Ｗを印刷テーブル２６の印刷中心Ｐへ正確に搬送して良好な印刷状態を得ることができる。
【００４５】
なお、印刷部Ｂにおいて各被印刷物搬送台４４のずれについては、搬送方向Ｑ（前後方向Ｘ）にのみ沿ったもの（前記ずれＧ）ばかりではなく、左右方向Ｙにのみ沿ったものや、前後方向Ｘと左右方向Ｙとにそれぞれずれたものもあり得るが、いずれにしても、各被印刷物搬送台４４の正位置と実際位置とを座標値で比較して搬送方向ＱのずれＧを求め、そのずれＧに応じて整合テーブル２を調節する。
【００４６】
〔他の技術的思想〕
前記実施形態から把握できる技術的思想（請求項以外）を記載する。
下記（イ）（ロ）（ハ）によれば、印刷部Ｂにおいて各被印刷物搬送台４４間で生じ得るずれＧに応じて、整合テーブル２を被印刷物Ｗとともに調節し、被印刷物Ｗを印刷テーブル２６の印刷中心Ｐへできる限り正確に搬送することができる。
【００４９】
（イ）  請求項２における搬送台正位置記憶手段は、印刷部Ｂにおいて各被印刷物搬送台４４のうち特定被印刷物搬送台４４である基準搬送台４４Ｓに基準位置確認マークＭ（Ｍo）を付し、この基準搬送台４４Ｓを整合部Ａに移動させ、整合部Ａにおいて前記基準搬送台４４Ｓの基準位置確認マークＭ（Ｍo）を位置確認センサ（ＣＣＤカメラ２３）により検出して正位置として記憶させるものである。
【００５０】
請求項２における搬送台実際位置検出手段は、処理路４６ａで整合部Ａに至った各被印刷物搬送台４４に付された位置確認マークＭを位置確認センサ（ＣＣＤカメラ２３）により検出して実際位置として記憶させるものである。
【００５１】
この場合、基準搬送台４４Ｓ以外の各被印刷物搬送台４４についての位置確認マークＭは、印刷部Ｂにおいて印刷テーブル２６の印刷中心Ｐに対する位置関係について前記基準位置確認マークＭ（Ｍ0 ）と同一になるように付される。
【００５２】
請求項２における位置調節制御手段は、前記搬送台正位置記憶手段から読み出された正位置と、前記搬送台実際位置検出手段により検出された実際位置との間の位置誤差から求めたずれＧだけ、位置調節駆動部５を駆動させるものである。
【００５３】
（ロ）  この発明は、請求項２の発明に下記の構成を追加している。
処理装置６０は、印刷テーブル２６に供給されて位置決めされる被印刷物Ｗについて印刷テーブル２６の印刷中心Ｐに対する正位置を記憶する被印刷物正位置記憶手段と、整合テーブル２に供給されて位置決めされた被印刷物Ｗの実際位置を検出する被印刷物実際位置検出手段と、被印刷物Ｗの実際位置を被印刷物Ｗの正位置に合わせるように位置調節駆動部５を駆動して整合テーブル２の位置を調節する位置調節制御手段とを備えている。
（ハ）  上記（ロ）における被印刷物正位置記憶手段は、印刷部Ｂにおいて各被印刷物搬送台４４のうち特定被印刷物搬送台４４である基準搬送台４４Ｓに模擬印刷物Ｗoを位置決めするとともに、この模擬印刷物Ｗoを印刷テーブル２６に位置決めした状態で、この模擬印刷物Ｗoに基準位置合せマークＮ（Ｎo）を付し、この模擬印刷物Ｗoを位置決めした基準搬送台４４Ｓを整合部Ａに移動させ、整合部Ａにおいて前記基準搬送台４４Ｓに位置決めされた模擬印刷物Ｗoの基準位置合せマークＮ（Ｎo）を位置合せセンサ（ＣＣＤカメラ２１，２２）により検出して正位置として記憶させるものである。
【００５４】
上記（ロ）における被印刷物実際位置検出手段は、整合テーブル２に供給されて位置決めされた被印刷物Ｗに付された位置合せマークＮを位置合せセンサ（ＣＣＤカメラ２１，２２）により検出して実際位置として記憶させるものである。
【００５５】
上記（ロ）における位置調節制御手段は、前記被印刷物正位置記憶手段から読み出された正位置に対し、前記被印刷物実際位置検出手段により検出された実際位置を合わせるように、位置調節駆動部５を駆動させるものである。
【００５６】
また、下記（ニ）（ホ）（ヘ）によれば、被印刷物搬送台４４の両載置台部４７，４８により被印刷物Ｗを四隅部分で支えることができるので、被印刷物Ｗが垂れ下がることなく安定した状態で搬送され、例えば電気配線基板などの被印刷物Ｗの破損を防止することができる。しかも、この両載置台部４７，４８間に回避孔５５があるので、例えば整合テーブル２や印刷テーブル２６と被印刷物搬送台４４との重合状態で被印刷物Ｗをこの回避孔５５を介して整合テーブル２や印刷テーブル２６に対し確実に吸着させることができる。
【００５７】
（ニ）  請求項１または請求項２または上記（イ）または上記（ロ）または上記（ハ）において、搬送機構１は巻掛け伝動機構であり、その巻掛け伝動リンク（伝動チェーン４３）に複数の被印刷物搬送台４４を取り付け、この各被印刷物搬送台４４は巻掛け伝動リンク（伝動チェーン４３）の回転に伴い移動し、この被印刷物搬送台４４には処理路４６ａにおける移動方向Ｘの両側でそれぞれ被印刷物Ｗの両側を位置決めする載置台部４７，４８を設けるとともにこの両載置台部４７，４８間に回避孔５５を設けた。
【００５８】
（ホ）  上記（ニ）において、各被印刷物搬送台４４は、両載置台部４７，４８の表裏両側のうちその表側で被印刷物Ｗを支える載置面４７ａ，４８ａを有し、処理路４６ａで両載置台部４７，４８の表側を上向きにして移動するとともに、排出部Ｃにおける処理路４６ａと戻り路４６ｂとの境界部で上下反転し、戻り路４６ｂで両載置台部４７，４８の裏側を下向きにして移動するとともに、整合部Ａにおける戻り路４６ｂと処理路４６ａとの境界部で上下反転する。
【００５９】
（ヘ）  上記（ニ）または上記（ホ）において、被印刷物搬送台４４の両載置台部４７，４８は、被印刷物Ｗを位置決めするロック状態とそのロックを解除する状態とを取り得る位置決め手段５６を有している。
【００６０】
【発明の効果】
本発明にかかるスクリーン印刷機の被印刷物搬送装置によれば、印刷部（Ｂ）において各被印刷物搬送台（４４）間で生じ得るずれ（Ｇ）に応じて、被印刷物（Ｗ）を位置決めした整合テーブル（２）を調節可能にしたので、被印刷物（Ｗ）を印刷テーブル（２６）の印刷中心（Ｐ）へできる限り正確に搬送することができる。
【図面の簡単な説明】
【図１】  本実施形態にかかるスクリーン印刷機及びその被印刷物搬送装置を概略的に示す側面図である。
【図２】  図１の被印刷物搬送装置を概略的に示す平面図である。
【図３】  （ａ）は上記被印刷物搬送装置の搬送台を概略的に示す示す平面図であり、（ｂ）は同じく上記搬送台を概略的に示す示す側面図である。
【図４】  （ａ）は整合テーブル及び位置調節駆動部を示す概略拡大側面図であり、（ｂ）は同じく概略拡大平面図である。
【図５】  図１の印刷機構等を後側から見た概略図である。
【図６】  本実施形態の電気的構成を概略的に示すブロック回路図である。
【図７】  上記被印刷物搬送装置の作用説明図である。
【図８】  本実施形態において主に搬送台正位置記憶手段及び被印刷物正位置記憶手段に関する作用説明図である。
【図９】  本実施形態において主に搬送台実際位置検出手段及び被印刷物実際位置検出手段に関する作用説明図である。
【図１０】  本実施形態において主に整合テーブルの位置調節制御並びに被印刷物の搬送制御に関する作用説明図である。
【図１１】  本実施形態において印刷部に移動した被印刷物搬送台の状態を示す作用説明図である。
【図１２】  従来のスクリーン印刷機において被印刷物搬送装置に関する作用説明図である。
【符号の説明】
１…被印刷物搬送機構、２…整合テーブル、５…位置調節駆動部、１８，１９，２０…サーボモータ、２１，２２…ＣＣＤカメラ（位置合せセンサ）、２３…ＣＣＤカメラ（位置確認センサ）、４５…駆動モータ、６０…中央処理装置、２６…印刷テーブル、２７…印刷機構、４４…被印刷物搬送台、４４Ｓ…基準搬送台、４６ａ…処理路、４６ｂ…戻り路、６０…中央処理装置、Ｗ…被印刷物、Ｑ…搬送方向、Ａ…整合部、Ｒ0 …整合中心、Ｂ…印刷部、Ｐ…印刷中心、Ｃ…排出部、Ｇ…ずれ、Ｌ…基準搬送距離、Ｌ＋Ｇ…実際搬送距離。
【図１】
0003657480.tif 000002
【図２】
0003657480.tif 000003
【図３】
0003657480.tif 000004
【図４】
0003657480.tif 000005
【図５】
0003657480.tif 000006
【図６】
0003657480.tif 000007
【図７】
0003657480.tif 000008
【図８】
0003657480.tif 000009
【図９】
0003657480.tif 000010
【図１０】
0003657480.tif 000011
【図１１】
0003657480.tif 000012
【図１２】
0003657480.tif 000013